(57)【要約】【課題】静止画の撮影を行う場合と動画の撮影を行う場合とで、それぞれに適した保持形態で撮影を行うことのできる撮像装置を提供する。【解決手段】撮影レンズ２２を装置本体１１の正面側の位置、そこから所定の方向に９０度回動させた位置、１８０度回動させた位置のいずれかに向けて撮影できるように、撮像部１２を装置本体１１に回動自在に支持する構成を有する。このような構成により、静止画の撮影を行う場合と動画の撮影を行う場合とで撮像部１２の向きを変えて、それぞれに適した保持形態で違和感なく撮影を行うことが可能となる。【選択図】      図４
2006101372.tif 000002
【特許請求の範囲】
【請求項１】
装置本体と、
撮影レンズを有する撮像部と、
前記撮影レンズを前記装置本体の正面側に向けた第１の位置、そこから前記撮像部と前記装置本体との接合面に平行な軸を中心軸として前記撮影レンズを略９０度回動させた第２の位置のいずれかに向けて撮影できるように、前記撮像部を前記装置本体に回動自在に支持する支持機構と
を具備したことを特徴とする撮像装置。
【請求項２】
前記撮像部は、前記装置本体の側面に備えられていることを特徴とする請求項１記載の撮像装置。
【請求項３】
前記支持機構は、さらに、前記第１の位置から前記撮像部と前記装置本体との接合面に平行な軸を中心軸として前記撮影レンズを略１８０度回動させた第３の位置での撮影も可能となるように前記撮像部を前記装置本体に回動自在に支持することを特徴とする請求項１または２記載の撮像装置。
【請求項４】
前記第１の位置が静止画撮影モード、前記第２の位置が動画撮影モードであることを特徴とする請求項１記載の撮像装置。
【請求項５】
前記第１の位置が静止画撮影モード、前記第２の位置が動画撮影モード、前記第３の位置が自分撮り撮影モードであることを特徴とする請求項３記載の撮像装置。
【請求項６】
装置本体と、
撮影レンズを有する撮像部と、
前記撮影レンズを前記装置本体の正面側に向けた第１の位置、そこから所定の方向に９０度回動させた第２の位置、１８０度回動させた第３の位置のいずれかに向けて撮影できるように、前記撮像部を前記装置本体に回動自在に支持する支持機構と、
前記撮像部の回動位置を検出する位置検出手段と、
複数の異なる撮影モードの中から前記位置検出手段によって検出された前記撮像部の回動位置に対応した撮影モードを設定する制御手段と
を具備したことを特徴とする撮像装置。
【請求項７】
前記複数の異なる撮影モードには、静止画像を撮影するための静止画撮影モードを含み、
前記制御手段は、前記位置検出手段により前記撮像部が前記第１の位置にあることが検出された場合に前記静止画撮影モードを設定することを特徴とする請求項６記載の撮像装置。
【請求項８】
前記複数の異なる撮影モードには、動画像を撮影するための動画撮影モードを含み、
前記制御手段は、前記位置検出手段により前記撮像部が前記第２の位置にあることが検出された場合に前記動画撮影モードを設定することを特徴とする請求項６記載の撮像装置。
【請求項９】
前記複数の異なる撮影モードには、撮影者を被写体として撮影する自分撮り撮影モードを含み、
前記制御手段は、前記位置検出手段により前記撮像部が前記第３の位置にあることが検出された場合に、前記自分撮り撮影モードを設定することを特徴とする請求項６記載の撮像装置。
【請求項１０】
前記撮像部の回動位置に関係なく、前記複数の異なる撮影モードを手動操作にて切り替えるための操作手段を具備したことを特徴とする請求項６乃至９のいずれか１つに記載の撮像装置。
【請求項１１】
前記装置本体に開閉自在に取り付けられたビューファインダ部をさらに備え、
前記ビューファインダ部を前記装置本体から引き起こした状態で撮影可能であることを特徴とする請求項１または６記載の撮像装置。
【請求項１２】
装置本体と、
撮影レンズを有する撮像部と、
前記撮影レンズを前記装置本体の正面側に向けた第１の位置、そこから所定の方向に９０度回動させた第２の位置、１８０度回動させた第３の位置のいずれかに向けて撮影できるように、前記撮像部を前記装置本体に回動自在に支持する支持機構と、
この支持機構を介して前記撮像部を回動する駆動機構と、
複数の異なる撮影モードを手動操作にて切り替えるための操作手段と、
この操作手段によって指定された撮影モードに適した位置に前記撮像部を回動するように前記駆動機構を駆動する制御手段と
を具備したことを特徴とする撮像装置。
【請求項１３】
前記複数の異なる撮影モードには、静止画像を撮影するための静止画撮影モードを含み、
前記制御手段は、前記操作手段によって前記静止画撮影モードが指定された場合に前記撮像部を前記第１の位置に向けるように前記駆動機構を駆動することを特徴とする請求項１２記載の撮像装置。
【請求項１４】
前記複数の異なる撮影モードには、動画像を撮影するための動画撮影モードを含み、
前記制御手段は、前記操作手段によって前記動画撮影モードが指定された場合に前記撮像部を前記第２の位置に向けるように前記駆動機構を駆動することを特徴とする請求項１２記載の撮像装置。
【請求項１５】
前記複数の異なる撮影モードには、撮影者を被写体として撮影する自分撮り撮影モードを含み、
前記制御手段は、前記操作手段によって前記自分撮り撮影モードが指定された場合に前記撮像部を前記第３の位置に向けるように前記駆動機構を駆動することを特徴とする請求項１２記載の撮像装置。
【発明の詳細な説明】
【技術分野】
【０００１】
本発明は、静止画と動画の撮影が可能な撮像装置に関する。
【背景技術】
【０００２】
撮像装置には、動画の撮影を主として作られた機器と、静止画の撮影を主として作られた機器に分けられる。
【０００３】
前者の動画の撮影を主とした機器は、ムービカメラあるいはビデオカメラなどと呼ばれるものであって、例えば図１４に示すように、縦型の保持形態を有し、装置本体１の側面にユーザの手の平を当てて、その装置本体１の上下方向を握り込むようにして片手で保持するのが一般的である。これは、縦型とすることで、手ぶれの方向が撮影レンズ２の光軸に対して前後だけで済み、また、同じ姿勢で長時間のホールドしても疲れないためである。
【０００４】
一方、前者の静止画の撮影を主とした機器は、デジタルカメラあるいはスチルカメラなどと呼ばれるものであって、携帯性を考慮して薄型のものが多く、例えば図１５に示すように、横型の保持形態を有し、撮影レンズ４を挟み込むように、装置本体３の両側部を両手で支えて保持するのが一般的である。この場合、手ぶれの方向が撮影レンズ２の光軸に対して前後方向と左右方向の２つとなるが、両手でしっかりとホールドして撮影することができる。
【０００５】
近年のデシタルカメラでは、高機能が進み、例えばＭＰＥＧ４などの画像処理を行えるエンジンを搭載して、静止画だけでなく、ムービカメラと同等の画質で動画を長時間記録できるものが開発されている。しかし、このような静止画と動画が撮影可能な撮像装置では、上述した縦型と横型のどちらかの保持形態を採用することで、その保持形態による長所と短所を持ち合わせてしまうことになる。
【０００６】
このような問題に対し、従来、例えば特許文献１において、縦型と横型の両方の保持形態を持つ撮像装置が知られている。これは、動画の撮影時には装置本体を縦向きにして片手で保持し、静止画の撮影時には装置本体を横向きにして両手で保持して操作できるように、装置本体の形状と操作ボタンの配置などを工夫したものである。
【特許文献１】特開２００３−８９５９号公報
【発明の開示】
【発明が解決しようとする課題】
【０００７】
しかしながら、前記特許文献１の撮像装置では、本来、ムービカメラとして縦長の構造を有する装置本体を静止画撮影時には横長に寝かした状態で操作するといった特殊な使い方をする。このため、一般的な薄型のデシタルカメラに慣れているユーザには違和感があり、操作しづらいといった問題がある。
【０００８】
本発明は前記のような点に鑑みなされたもので、静止画を撮影する場合と動画を撮影する場合とで、それぞれに適した保持形態をとって違和感なく撮影を行うことのできる撮像装置を提供することを目的とする。
【課題を解決するための手段】
【０００９】
本発明の請求項１に係る撮像装置は、装置本体と、撮影レンズを有する撮像部と、前記撮影レンズを前記装置本体の正面側に向けた第１の位置、そこから前記撮像部と前記装置本体との接合面に平行な軸を中心軸として前記撮影レンズを略９０度回動させた第２の位置のいずれかに向けて撮影できるように、前記撮像部を前記装置本体に回動自在に支持する支持機構とを具備して構成される。
【００１０】
このような構成によれば、撮像部を第１の位置と第２の位置に回動させることができるので、静止画を撮影する場合と動画を撮影する場合とで、それぞれに適した保持形態をとることができ、その状態で違和感なく撮影を行うことができる。
【００１１】
また、本発明の請求項２は、前記請求項１記載の撮像装置において、前記撮像部は、前記装置本体の側面に備えられていることを特徴とする。
【００１２】
このような構成によれば、装置本体の側面に設けられた撮像部を装置本体の正面とその側面に向けて撮影を行うことができる。
【００１３】
また、本発明の請求項３は、前記請求項１または２記載の撮像装置において、前記支持機構は、さらに、前記第１の位置から前記撮像部と前記装置本体との接合面に平行な軸を中心軸として前記撮影レンズを略１８０度回動させた第３の位置での撮影も可能となるように前記撮像部を前記装置本体に回動自在に支持することを特徴とする。
【００１４】
このような構成によれば、撮像部をさらに装置本体の裏面側である第３の位置まで回動させることで、その位置に適した撮影を行うことができる。
【００１５】
また、本発明の請求項４は、前記請求項１記載の撮像装置において、前記第１の位置が静止画撮影モード、前記第２の位置が動画撮影モードであることを特徴とする。
【００１６】
このような構成によれば、第１の位置を静止画撮影モード、第２の位置を動画撮影モードとして、それぞれの撮影モードに適した保持形態でとって撮影を行うことができる。
【００１７】
また、本発明の請求項５は、前記請求項３記載の撮像装置において、前記第１の位置が静止画撮影モード、前記第２の位置が動画撮影モード、前記第３の位置が自分撮り撮影モードであることを特徴とする。
【００１８】
このような構成によれば、第１の位置を静止画撮影モード、第２の位置を動画撮影モード、第３の位置を自分撮り撮影モードとして、それぞれの撮影モードに適した保持形態でとって撮影を行うことができる。
【００１９】
本発明の請求項６に係る撮像装置は、装置本体と、撮影レンズを有する撮像部と、前記撮影レンズを前記装置本体の正面側に向けた第１の位置、そこから所定の方向に９０度回動させた第２の位置、１８０度回動させた第３の位置のいずれかに向けて撮影できるように、前記撮像部を前記装置本体に回動自在に支持する支持機構と、前記撮像部の回動位置を検出する位置検出手段と、複数の異なる撮影モードの中から前記位置検出手段によって検出された前記撮像部の回動位置に対応した撮影モードを設定する制御手段とを具備して構成される。
【００２０】
このような構成によれば、撮像部の向きを変えることで、その向きに対応した撮影モードが自動設定され、その撮影モードに適した保持形態をとって違和感なく撮影を行うことができる。
【００２１】
また、本発明の請求項７は、前記請求項６記載の撮像装置において、前記複数の異なる撮影モードには、静止画像を撮影するための静止画撮影モードを含み、前記制御手段は、前記位置検出手段により前記撮像部が前記第１の位置にあることが検出された場合に前記静止画撮影モードを設定することを特徴とする。
【００２２】
このような構成によれば、撮像部を装置本体の正面位置である第１の位置に向けることで、静止画撮影モードが自動設定される。これにより、当該撮影モードに適した保持形態をとって静止画の撮影操作を行うことができる。
【００２３】
また、本発明の請求項８は、前記請求項６記載の撮像装置において、前記複数の異なる撮影モードには、動画像を撮影するための動画撮影モードを含み、前記制御手段は、前記位置検出手段により前記撮像部が前記第２の位置にあることが検出された場合に前記動画撮影モードを設定することを特徴とする。
【００２４】
このような構成によれば、撮像部を装置本体の正面位置から９０度回動させた第２の位置に向けることで、動画撮影モードが自動設定される。これにより、当該撮影モードに適した保持形態をとって動画の撮影操作を行うことができる。
【００２５】
また、本発明の請求項９は、前記請求項６記載の撮像装置において、前記複数の異なる撮影モードには、撮影者を被写体として撮影する自分撮り撮影モードを含み、前記制御手段は、前記位置検出手段により前記撮像部が前記第３の位置にあることが検出された場合に、前記自分撮り撮影モードを設定することを特徴とする。
【００２６】
このような構成によれば、撮像部を装置本体の正面位置から１８０度回動させた第３の位置に向けることで、自分撮り撮影モードが自動設定される。これにより、当該撮影モードに適した保持形態をとって自分撮り撮影の操作を行うことができる。
【００２７】
また、本発明の請求項１０は、前記請求項６乃至９のいずれか１つに記載の撮像装置において、前記撮像部の回動位置に関係なく、前記複数の異なる撮影モードを手動操作にて切り替えるための操作手段を具備したことを特徴とする。
【００２８】
このような構成によれば、モード切替え用の操作手段を備えることで、撮像部の回動位置に関係なく、所望の撮影モードを設定することができる。
【００２９】
また、本発明の請求項１１は、前記請求項１または６記載の撮像装置において、前記装置本体に開閉自在に取り付けられたビューファインダ部をさらに備え、前記ビューファインダ部を前記装置本体から引き起こした状態で撮影可能であることを特徴とする。
【００３０】
このような構成によれば、ビューファインダ部を装置本体から引き起こした状態で撮影することができる。
【００３１】
本発明の請求項１２に係る撮像装置は、装置本体と、撮影レンズを有する撮像部と、前記撮影レンズを前記装置本体の正面側に向けた第１の位置、そこから所定の方向に９０度回動させた第２の位置、１８０度回動させた第３の位置のいずれかに向けて撮影できるように、前記撮像部を前記装置本体に回動自在に支持する支持機構と、この支持機構を介して前記撮像部を回動する駆動機構と、複数の異なる撮影モードを手動操作にて切り替えるための操作手段と、この操作手段によって指定された撮影モードに適した位置に前記撮像部を回動するように前記駆動機構を駆動する制御手段とを具備して構成される。
【００３２】
このような構成によれば、撮像部を装置本体に回動自在に支持する機構とこれを駆動する機構を備えることで、ユーザの指定した撮影モードに適した位置に撮像部を自動的に動かして撮影を行うことができる。
【００３３】
また、本発明の請求項１３は、前記請求項１２記載の撮像装置において、前記複数の異なる撮影モードには、静止画像を撮影するための静止画撮影モードを含み、前記制御手段は、前記操作手段によって前記静止画撮影モードが指定された場合に前記撮像部を前記第１の位置に向けるように前記駆動機構を駆動することを特徴とする。
【００３４】
このような構成によれば、静止画撮影モードを指定すると、撮像部が装置本体の正面位置である第１の位置に向けられる。これにより、静止画の撮影に適した保持形態をとって操作することができる。
【００３５】
また、本発明の請求項１４は、前記請求項１２記載の撮像装置において、前記複数の異なる撮影モードには、動画像を撮影するための動画撮影モードを含み、前記制御手段は、前記操作手段によって前記動画撮影モードが指定された場合に前記撮像部を前記第２の位置に向けるように前記駆動機構を駆動することを特徴とする。
【００３６】
このような構成によれば、動画撮影モードを指定すると、撮像部が装置本体の正面位置から９０度回動させた第２の位置に向けられる。これにより、動画の撮影に適した保持形態をとって操作することができる。
【００３７】
また、本発明の請求項１５は、前記請求項１２記載の撮像装置において撮影者を被写体として撮影する自分撮り撮影モードを含み、前記制御手段は、前記操作手段によって前記自分撮り撮影モードが指定された場合に前記撮像部を前記第３の位置に向けるように前記駆動機構を駆動することを特徴とする。
【００３８】
このような構成によれば、自分撮り撮影モードを指定すると、撮像部が装置本体の正面位置から１８０度回動させた第３の位置に向けられる。これにより、自分撮り撮影に適した保持形態をとって操作することができる。
【発明の効果】
【００３９】
本発明によれば、少なくとも撮像部に設けられた撮影レンズを装置本体の正面側の位置と、そこから撮像部と装置本体との接合面に平行な軸を中心軸として前記撮影レンズを略９０度回動させた位置のいずれかに向けて撮影できるように、撮像部を装置本体に回動自在に支持する構成としたことで、静止画の撮影を行う場合と動画の撮影を行う場合とで、それぞれに適した保持形態をとって違和感なく撮影を行うことができる。
【発明を実施するための最良の形態】
【００４０】
以下、図面を参照して本発明の実施形態を説明する。
【００４１】
（第１の実施形態）
図１乃至図３は本発明の第１の実施形態に係る撮像装置の外観構成を示す図であり、図１はこの撮像装置の装置本体を正面から見た場合の図、図２は装置本体を背面から見た場合の図、図３は装置本体を上面から見た場合の図である。
【００４２】
本実施形態における撮像装置１０は、静止画と動画の撮影が可能な小型・軽量のデジタルカメラであり、図１乃至図３に示すように、装置本体１１と撮像部１２とからなる。装置本体１１は主として操作系と制御系の機能を備え、撮像部１２は主として撮像系の機能を備える。
【００４３】
装置本体１１は、撮影者が片手で掴み込むことのできる程度のサイズで略直方体形状をなし、その一方端（撮影者から見て左側）に回転式レンズとして用いられる撮像部１２が装置本体１１との接合面に平行な軸を中心軸として回動自在に取り付けられている。
【００４４】
この装置本体１１の上面１１ｃには、電源をＯＮ／ＯＦＦするための電源キー１３、撮影時に撮影タイミングを指示するためのシャッタキー１４などが設けられている。また、装置本体１１の背面１１ｂには、撮影モードキー１５、再生モードキー１６、リングキー１７、メニューキー１８、撮影モード切替えキー１９などの各種操作キー、そして、表示部２０などが設けられている。
【００４５】
撮影モードキー１０は、撮影モードを設定するためのキーである。本実施形態では、撮影モードとして、「静止画撮影モード」、「動画撮影モード」、「自分撮り撮影モード」の３つの異なる撮影モードを有し、これらの撮影モードの切替えを撮像部１２の回動操作によって実現している。
【００４６】
「静止画撮影モード」は、スチルカメラとして静止画の撮影を行うための撮影モードであり、スチルモードとも呼ばれる。「動画撮影モード」は、ムービカメラとして動画の撮影を行うための撮影モードであり、ムービモードとも呼ばれる。また、「自分撮り撮影モード」は、撮影者であるユーザ自身を被写体にして撮影を行うための撮影モードである。なお、この「自分撮り撮影モード」では、静止画または動画の選択が可能であり、その選択操作は撮影モード切替えキー１９によって行うようになっている。
【００４７】
前記シャッタキー１４は、これらの撮影モードに共通に使用される。すなわち、「静止画撮影モード」または「自分撮り撮影モード（静止画選択時）」では、シャッタキー１４が押下されたときのタイミングで静止画の撮影が行われる。「動画撮影モード」または「自分撮り撮影モード（動画選択時）」では、シャッタキー１４が押下されたときのタイミングで動画の撮影が開始され、シャッタキー１４が再度押下されたときにその動画の撮影が終了する。
【００４８】
再生モードキー１６は、電源オフの状態から操作することで自動的に電源オンとして再生モードに移行する。再生モードでは、既に記録された静止画あるいは動画のデータが表示部２０に再生表示される。
【００４９】
リングキー１７は、上下左右各方向への項目選択用のキーが一体に形成されたものであり、各種項目の選択操作を行う場合などに用いる。メニューキー１８は、各種メニューの表示を指示するためのキーである。
【００５０】
また、撮影モード切替えキー１９は、前記３つの撮影モードの切替えを明示的に指示するためのキーである。この撮影モード切替えキー１９によって撮影モードの切替えが指示された場合には、撮像部１２の回動位置に関係なく、その指定された撮影モードが設定される。
【００５１】
表示部２０は、バックライト付きのカラー液晶パネルで構成されるもので、撮影モード時には電子ビューファインダとしてスルー画像のモニタ表示を行う一方で、再生モード時には選択した画像等を再生表示する。この表示部２０は、ヒンジ機構２１を介して装置本体１１の背面１１ｂに開閉自在に取り付けられており、動画撮影時には装置本体１１から引き起こして９０度開いた状態で、その画面上に表示されるスルー画像を確認することができる（図４（ｂ）参照）
なお、特に図示はしないが、この装置本体１１の底面には、例えば記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられている。
【００５２】
一方、撮像部１２は、装置本体１１の長手方向の一端（撮影者から見て左側）に水平方向に１８０度回動自在に取り付けられている。図１に示すように、この撮像部１２の正面１２ａには、撮影レンズ２２と、その撮影レンズ２２の上にストロボ２３などが設けられている。また、図２に示すように、この撮像部１２の裏面１２ａには光学ファインダ２４などが設けられている。
【００５３】
図４は撮像装置１０の撮像部１２の回動位置と撮影モードとの関係を示す図であり、図４（ａ）は静止画撮影を行う場合、同図（ｂ）は動画画撮影を行う場合、同図（ｃ）は自分撮り撮影を行う場合の撮像部１２の回動位置をそれぞれ上面から見た状態で示している。
【００５４】
静止画の撮影を行う場合には、図４（ａ）に示すように、装置本体１１の正面１１ａ側に撮像部１２の撮影レンズ２２を向けるようにする。これにより、撮影者は、図１５に示したような一般的な横型のスチルカメラを扱うような感覚で、装置本体１１の両端を両手で支えるといった保持形態をとって違和感なく撮影を行うことができる。
【００５５】
一方、動画の撮影を行う場合には、装置本体１１の正面位置を０度とすると、図４（ｂ）に示すように、そこから装置本体１１とは反対側の方向に９０度回動させた位置に撮像部１２の撮影レンズ２２を向ける。これにより、撮影者は、図１４に示したような一般的な縦型のムービカメラを扱うような感覚で、装置本体１１を片手で掴み込むといった保持形態をとって撮影操作を行うことができる。このとき、表示部２０を装置本体１１から引き起こして９０度開くことで、その表示部２０の画面上に表示されるスルー画像を見ながら動画撮影の操作を行うことができる。
【００５６】
また、自分撮り撮影を行う場合には、図４（ｃ）に示すように、装置本体１１の正面位置から１８０度回動させた位置つまり装置本体１１の背面１１ｂ側に撮像部１２の撮影レンズ２２を向ける。これにより、撮影者は、自分自身に撮影レンズ２２を向けて、表示部２０の画面を見ながら撮影を行うことができる。なお、このときの保持形態は、静止画撮影と同じになるが、自分撮り撮影としては静止画でも動画でも可能である。
【００５７】
このような撮像部１２の回動操作は手動にて行う。この回動操作に伴う撮像部１２の回動位置（向き）は、後述する位置検出スイッチ３５ａ，３５ｂによって検出される（図５参照）。そして、撮像部１２が０度の回動位置（第１の位置）にあることが検出されると、「静止画撮影モード」が自動設定される。撮像部１２が９０度の回動位置（第２の位置）にあることが検出されると、「動画撮影モード」が自動設定される。さらに、撮像部１２が１８０度の回動位置（第３の位置）にあることが検出されると、「自分撮り撮影モード」が自動設定される。
【００５８】
図５は撮像装置１０の内部構成を模式的に示す図であり、装置本体１１の背面側から見た場合の断面を部分的に示している。
【００５９】
撮像部１２は、支持機構３１を介して装置本体１１に水平方向に１８０度回動自在に取り付けられている。この支持機構３１は、撮像部１２の底部に一体形成された回動軸３２と、装置本体１１に形成された取付け穴３３に嵌着され、そこに挿入された撮像部１２の回動軸３２と係合して回転する回転リング３４などから構成される。回動軸３２は中空であり、撮像部１２と装置本体１１との間の各信号線はこの中空部分を介して配線されている。
【００６０】
また、装置本体１１内には、撮像部１２の回動位置（向き）を検出するための２つの位置検出スイッチ３５ａ，３５ｂが回動軸３２の先端に形成されたフランジ部３２ａの同心円上に配設されている。これらの位置検出スイッチ３５ａ，３５ｂは、マイクロスイッチからなり、スイッチ片の押下によりＯＮする。
【００６１】
前記回動軸３２のフランジ部３２ａには、撮像部１２が０度の回動位置にあるときに位置検出スイッチ３５ａに接触し、９０度の回動位置にあるときに位置検出スイッチ３５ｂに接触する突起部３６が設けられている。この突起部３６の接触による位置検出スイッチ３５ａ，３５ｂのＯＮ／ＯＦＦの組み合わせで撮像部１２の回動位置（向き）が検出され、その回動位置に応じた撮影モードが自動設定される。
【００６２】
この様子を図６に示す。  
図６（ａ）に示すように、撮像部１２を０度の位置に回動させたとき、つまり、撮影レンズ２２を装置本体１１の正面１１ａ側に向けたとき、回動軸３２のフランジ部３２ａに設けられた突起部３６は位置検出スイッチ３５ａに接触してＯＮする。一方、同図（ｂ）に示すように、撮像部１２を９０度の位置に回動させたとき、つまり、撮影レンズ２２を装置本体１１とは反対側に向けて、撮影レンズ２２の光軸を装置本体１１の長手方向に合わせたとき、回動軸３２のフランジ部３２ａに設けられた突起部３６は位置検出スイッチ３５ｂに接触してＯＮする。
【００６３】
さらに、同図（ｃ）に示すように、撮像部１２を１８０度の位置に回動させたとき、つまり、撮影レンズ２２を装置本体１１の背面１１ｂ側に向けた場合には、回動軸３２のフランジ部３２ａに設けられた突起部３６は位置検出スイッチ３５ａ，３５ｂのどちらにも接触しない。
【００６４】
したがって、位置検出スイッチ３５ａをＳＷ１、位置検出スイッチ３５ｂをＳＷ２とすると、図７に示すように、「ＳＷ１：ＯＮ，ＳＷ２：ＯＦＦ」のときに「静止画撮影モード」、「ＳＷ１：ＯＦＦ，ＳＷ２：ＯＮ」のときに「動画撮影モード」、「ＳＷ１：ＯＦＦ，ＳＷ２：ＯＦＦ」のときに「自分撮り撮影モード」に切り替えることができる。
【００６５】
図８は撮像装置１０の電子回路構成を示すブロック図である。図中の一点鎖線で囲んだ部分が撮像部１２内の回路構成である。
【００６６】
この撮像装置１０には、前記撮影レンズ２２を構成する図示せぬフォーカスレンズおよびズームレンズを含むレンズ光学系４２がモータ４１の駆動により光軸方向に所定の範囲内で移動可能に設けられており、その光軸後方に撮像素子であるＣＣＤ４３が配設されている。このＣＣＤ４３は、レンズ光学系４２を通過する光を受光し、その受光量に応じた画像データを取得する。
【００６７】
基本モードである記録モード時において、ＣＣＤ４３がタイミング発生器（ＴＧ）４４、ドライバ４５によって走査駆動され、一定周期毎に結像した光像に対応する光電変換出力を１画面分出力する。
【００６８】
このＣＣＤ４３の光電変換出力は、アナログ値の信号の状態でＲＧＢの各原色成分毎に適宜ゲイン調整された後に、サンプルホールド回路４６でサンプルホールドされ、Ａ／Ｄ変換器４７でデジタルデータに変換される。そして、カラープロセス回路４８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ４９に出力される。
【００６９】
ＤＭＡコントローラ４９は、カラープロセス回路４８の出力する輝度信号Ｙ及び色差信号Ｃｂ，Ｃｒを、同じくカラープロセス回路４８からの複合同期信号、メモリ書込みイネーブル信号、及びクロック信号を用いて一度ＤＭＡコントローラ４９内部のバッファに書き込み、ＤＲＡＭインタフェース（Ｉ／Ｆ）５０を介してバッファメモリとして使用されるＤＲＡＭ５１にＤＭＡ転送を行う。
【００７０】
制御部５２は、ＣＰＵと、このＣＰＵで実行される動作プログラムを記憶したＲＯＭ、及びワークメモリとして使用されるＲＡＭなどを含むマイクロコンピュータにより構成される。この制御部５２は、撮像装置１０全体の制御動作を司り、前記輝度及び色差信号のＤＲＡＭ５１へのＤＭＡ転送終了後に、この輝度及び色差信号をＤＲＡＭインタフェース５０を介してＤＲＡＭ５１より読み出し、ＶＲＡＭコントローラ５３を介してＶＲＡＭ５４に書き込む。
【００７１】
デジタルビデオエンコーダ５５は、前記輝度及び色差信号をＶＲＡＭコントローラ５３を介してＶＲＡＭ５４より定期的に読み出し、これらのデータを元にビデオ信号を発生して表示部２０に出力する。
【００７２】
この表示部２０は、上述した如く撮影時にはモニタ表示部（電子ファインダ）として機能するもので、デジタルビデオエンコーダ５５からのビデオ信号に基づいた表示を行うことで、その時点でＶＲＡＭコントローラ５３から取込んでいる画像情報に基づく画像をリアルタイムに表示することとなる。
【００７３】
このように、表示部２０にその時点での画像がモニタ画像としてリアルタイムに表示されている状態で、例えば静止画撮影を行いたいタイミングでシャッタキー１４を押下操作すると、トリガ信号が発生する。
【００７４】
制御部５２は、このトリガ信号に応じて、その時点でＣＣＤ４３から取込んでいる１画面分の輝度及び色差信号のＤＲＡＭ５１へのＤＭＡ転送の終了後、直ちにＣＣＤ４３からのＤＲＡＭ５１への経路を停止し、記録保存の状態に遷移する。
【００７５】
この記録保存の状態では、制御部５２がＤＲＡＭ５１に書き込まれている１フレーム分の輝度及び色差信号をＤＲＡＭインタフェース５０を介してＹ，Ｃｂ，Ｃｒの各コンポーネント毎に縦８画素×横８画素の基本ブロックと呼称される単位で読み出して、画像処理部５７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書き込み、この画像処理部５７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００７６】
そして得た符号データを１画像のデータファイルとして該画像処理部５７から読み出して記録用のメモリ５８に書き込む。このメモリ５８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ５８への全圧縮データの書込み終了に伴って、制御部５２はＣＣＤ４３からＤＲＡＭ５１への経路を再び起動する。
【００７７】
制御部５２には、さらに、ＵＳＢインタフェース（Ｉ／Ｆ）５９、ストロボ駆動部６０が接続され、また、撮像部１２の回動位置を検出するための位置検出スイッチ３５ａ，３５ｂが接続される。
【００７８】
ＵＳＢインタフェース５９は、ＵＳＢコネクタを介して有線接続されるパーソナルコンピュータ等の他の情報端末装置との間で画像データ、その他の送受を行う場合の通信制御を行う。ストロボ駆動部６０は、撮影時に図示せぬストロボ用の大容量コンデンサを充電した上で、制御部５２からの制御に基づいてストロボ２３を閃光駆動する。
【００７９】
位置検出スイッチ３５ａ，３５ｂは、撮像部１２の回動位置に応じて図６に示した突起部３６を介してＯＮ／ＯＦＦ動作し、そのＯＮ／ＯＦＦ信号（“１”または“０”の信号）を制御部５２に出力する。
【００８０】
なお、前記キー入力部５６は、上述したシャッタキー１４の他に、電源キー１３、撮影モードキー１５、再生モードキー１６、リングキー１７、メニューキー１８、撮影モード切替えキー１９などから構成され、それらのキー操作に伴う信号は直接制御部５２へ送出される。
【００８１】
また、静止画像ではなく動画の撮影時においては、シャッタキー１４が押下操作されたときに、上述した画像処理部５７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）２またはＭＰＥＧ４などの手法により撮影動画をデータ圧縮してメモリ５８へ記録する。再度シャッタキー１４が操作されると、動画データの記録を終了する。
【００８２】
一方、基本モードである再生モード時には、制御部５２がメモリ５８に記録されている画像データを選択的に読み出し、画像処理部５７で記録モード時にデータ圧縮した手順と全く逆の手順で、圧縮されている画像データを伸長する。そして、この伸長した画像データをＤＲＡＭインタフェース５０を介してＤＲＡＭ５１に保持させた上で、このＤＲＡＭ５１の保持内容をＶＲＡＭコントローラ５３を介してＶＲＡＭ５４に記憶させ、このＶＲＡＭ５４より定期的に画像データを読み出してビデオ信号を発生し、表示部２０で再生出力させる。
【００８３】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００８４】
次に、撮像装置１０の処理動作について説明する。
【００８５】
なお、以下の各フローチャートで示される処理は、撮像装置１０に搭載されたマイクロコンピュータである制御部５２がＲＯＭ等に記憶されたプログラムを読み込むことにより実行される。後述する他の実施形態の処理についても同様であり、制御部５２がこれらの処理を実現するためのプログラムを読み込むことで実行される。
【００８６】
図９は第１の実施形態における撮像装置１０の撮影時の処理動作を示すフローチャートである。
【００８７】
電源キー１３の押下により電源投入後（ステップＡ１１）、撮影モードキー１５を操作して撮影モードを設定することにより（ステップＡ１２）、以下のような処理が実行される。
【００８８】
まず、制御部５２は、撮影モード切替えキー１９によるモード切替えがあったか否かを判断する（ステップＡ１３）。上述したように、撮影モードには、「静止画撮影モード」、「動画撮影モード」、「自分撮り撮影モード」の３つがあり、これらの撮影モードの切替えを撮像部１２の回動操作により行うか、あるいは、撮影モード切替えキー１９の操作により所望のモードを明示的に指示することができる。
【００８９】
モード切替え操作がなかった場合には（ステップＡ１３のＮｏ）、制御部５２は、位置検出スイッチ３５ａ，３５ｂから出力されるＯＮ／ＯＦＦ信号に基づいて撮像部１２の回動位置を検出する（ステップＡ１４）。そして、図７に示すようなテーブルを参照することで、撮像部１２の回動位置に対応した撮影モードを自動設定する。
【００９０】
すなわち、位置検出スイッチ３５ａがＯＮ、位置検出スイッチ３５ｂがＯＦＦであれば、制御部５２は、撮像部１２が０度の回動位置（Ｐ１とする）にあるものと判断し（ステップＡ１５のＰ１）、「静止画撮影モード」を自動設定して、そのモードに対応した撮影処理を実行する（ステップＡ１６，Ａ１７）。
【００９１】
詳しくは、フォーカスや露出などの撮影条件を静止画撮影に最適な値に設定し、装置本体１１の正面１１ａ側に向けられた撮影レンズ２２を通して得られる被写体の画像データをスルー画像として表示部２０に表示しつつ、シャッタキー１４が押下されたときのタイミングで当該画像データを静止画像として取り込む。この静止画像は、ＪＰＥＧなどの方式で圧縮されてメモリ５８に記録される（ステップＡ１８）。
【００９２】
一方、位置検出スイッチ３５ａがＯＦＦ、位置検出スイッチ３５ｂがＯＮであれば、制御部５２は、撮像部１２が９０度の回動位置（Ｐ２とする）にあるものと判断し（ステップＡ１５のＰ２）、「動画撮影モード」を自動設定して、そのモードに対応した撮影処理を実行する（ステップＡ１９，Ａ２０）。
【００９３】
詳しくは、フォーカスや露出などの撮影条件を動画撮影に最適な値に設定し、装置本体１１の一端側に向けられた撮影レンズ２２を通して得られる被写体の画像データをスルー画像として表示部２０に表示しつつ、シャッタキー１４が押下されたときに当該画像データを動画像として順次取り込んでいく。この動画像は、ＭＰＥＧ２またはＭＰＥＧ４などの方式で圧縮されてメモリ５８に記録される（ステップＡ２１）。シャッタキー１４が再度押下されたとき、動画像の記録が終了する。
【００９４】
また、位置検出スイッチ３５ａがＯＦＦ、位置検出スイッチ３５ｂがＯＦＦであれば、制御部５２は、撮像部１２が１８０度の回動位置（Ｐ３とする）にあるものと判断し（ステップＡ１５のＰ３）、「自分撮り撮影モード」を自動設定して、その際に撮影モード切替えキー１９の操作により静止画または動画の撮影処理を実行する（ステップＡ２２，Ａ２３）。
【００９５】
詳しくは、フォーカスや露出などの撮影条件を自分撮り撮影用（接写撮影用）に最適な値に設定し、装置本体１１の背面１１ｂ側に向けられた撮影レンズ２２を通して得られる撮影者を被写体として画像データをスルー画像として表示部２０に表示する。そして、例えば静止画の撮影が選択されていれば、シャッタキー１４が押下されたときのタイミングで当該画像データを静止画像として取り込む。この静止画像は、ＪＰＥＧなどの方式で圧縮されてメモリ５８に記録される（ステップＡ２４）。
【００９６】
以上は撮像部１２の回動操作によるモード切替えであるが、撮像部１２の回動位置に関係なく、所望のモードで撮影を行う場合には撮影モード切替えキー１９を使用する。
【００９７】
すなわち、撮影モード切替えキー１９によりモード切替え操作があると（ステップＡ１３のＹｅｓ）、制御部５２は、そのモード切替え操作により指定されたモードを設定する（ステップＡ２５）。このモード切替え操作としては、撮影モード切替えキー１９を押下する毎に「静止画撮影モード」、「動画撮影モード」、「自分撮り撮影モード」を循環的に切り替えていく方法や、撮影モード切替えキー１９の押下によりモードメニュー画面を表示し、その中で所望のモードを選択するなどの方法がある。
【００９８】
撮影モード切替えキー１９の操作により前記３つのモードのいずれか１つのモードが設定されると、制御部５２は、そのモードに対応した撮影処理を実行し（ステップＡ２６）、その撮影処理により得た静止画像または動画像を所定の方式にて圧縮してメモリ５８に記録する（ステップＡ２７）。
【００９９】
このように、この撮像装置１０では、水平方向に１８０度回動可能な撮像部１２を持ち、撮影モードに応じて撮像部１２の向きを変えて使用できるため、静止画を撮影する場合と動画を撮影する場合とで、それぞれに適した姿勢で撮像装置１０を保持して撮影操作を行うことができる。
【０１００】
すなわち、静止画の撮影であれば、横型のスチルカメラの如く被写体を正面に捕らえて両手で撮像装置１０を支えながら撮影を行うことができ、また、動画の撮影であれば、縦型のムービカメラの如く被写体を長手方向の一端側に捕らえて片手で撮像装置１０を掴み込むようにして撮影を行うことができる。
【０１０１】
さらに、撮像部１２を背面に向ければ、自分撮り撮影モードが設定されて、例えば３０〜５０ｃｍに焦点調整がなされるなどして、撮影者であるユーザ自身を撮影することができる。
【０１０２】
また、撮影モード切替えキー１９を操作すれば、撮像部１２の回動位置に関係なく、所望の撮影モードを設定して撮影することも可能である。したがって、例えば撮像部１２を正面に向けて動画撮影したり、撮像部１２を一端側に向けて静止撮影するなど、ユーザの好きな保持形態で静止画や動画の撮影操作を自由に行うことができる。
【０１０３】
（第２の実施形態）
次に、本発明の第２の実施形態について説明する。
【０１０４】
前記第１の実施形態では、ユーザが撮像部１２を回動することで、その回動位置に応じた撮影モードを自動設定するものとしたが、第２の実施形態では、ユーザが撮影モードを指定することにより、その指定された撮影モードに応じた位置に撮像部１２を自動的に回動させることを特徴としている。
【０１０５】
なお、撮像装置１０としての外観構成は前記第１の実施形態と同様であるため、ここでは内部の駆動機構の構成について説明する。
【０１０６】
図１０は本発明の第２の実施形態における撮像装置１０の内部構成を模式的に示す図であり、装置本体１１の背面側から見た場合の断面を部分的に示している。
【０１０７】
前記第１の実施形態と同様に、撮像部１２は、支持機構３１を介して装置本体１１に水平方向に１８０度回動自在に取り付けられている。この支持機構３１は、撮像部１２の底部に一体形成された回動軸３２と、装置本体１１に形成された取付け穴３３と、この取付け穴３３に嵌着され、そこに挿入された撮像部１２の回動軸３２と係合して回転する回転リング３４などから構成される。回動軸３２は中空であり、撮像部１２と装置本体１１との間の各信号線はこの中空部分を介して配線されている。
【０１０８】
ここで、第２の実施形態において、撮像装置１０には支持機構３１を駆動して撮像部１２を回動させるための駆動機構７１が設けられている。この駆動機構７１は、図１１に示すように、撮像部１２の回動軸３２の先端部に取り付けられた歯車７２と、小型のステップモータ７３と、このステップモータ７３の回転軸に取り付けられ、歯車７２と係合して回転力を回動軸３２に伝達する歯車７４などから構成される。
【０１０９】
このような構成において、駆動機構７１のステップモータ７３が駆動されると、その回転力が歯車７４、歯車７２を介して撮像部１２の回動軸３２に伝達される。これにより、撮像部１２がステップモータ７３の回転に同期して水平方向に回動する。
【０１１０】
図１２は第２の実施形態における撮像装置１０の電子回路構成を示すブロック図である。図中の一点鎖線で囲んだ部分が撮像部１２内の回路構成である。なお、前記第１の実施形態における図８の構成と同一の部分には同一符号を付して、その説明は省略するものとする。
【０１１１】
前記第１の実施形態における図８の構成と異なる点は、位置検出スイッチ３５ａ，３５ｂがなく、それに代わって前記駆動機構７１を構成するステップモータ７３が制御部５２に接続されていることである。ステップモータ７３は、制御部５２から出力されるステップ信号に従って回転する。このステップモータ７３の回転により前記支持機構３１が駆動され、撮像部１２が水平方向に回動する。
【０１１２】
次に、第２の実施形態としての処理動作について説明する。
【０１１３】
図１３は第２の実施形態における撮像装置１０の撮影時の処理動作を示すフローチャートである。
【０１１４】
電源キー１３の押下により電源投入後（ステップＢ１１）、撮影モードキー１５を操作して撮影モードを設定することにより（ステップＢ１２）、以下のような処理が実行される。
【０１１５】
すなわち、撮影モード切替えキー１９によるモード切替え操作があると（ステップＢ１３）、制御部５２は、そのモード切替え操作によって指定された撮影モードを判断する（ステップＢ１４）。
【０１１６】
上述したように、撮影モードには、「静止画撮影モード」、「動画撮影モード」、「自分撮り撮影モード」の３つがあり、その中から撮影モード切替えキー１９の操作により所望のモードを明示的に指示することができる。この場合、撮影モード切替えキー１９を押下する毎に「静止画撮影モード」、「動画撮影モード」、「自分撮り撮影モード」を循環的に切り替えていく方法や、撮影モード切替えキー１９の押下によりモードメニュー画面を表示し、その中で所望のモードを選択するなどの方法がある。
【０１１７】
ここで、前記撮影モード切替えキー１９により「静止画撮影モード」（Ｍ１とする）が指定された場合（ステップＢ１４のＭ１）、制御部５２は、撮像部１２を現在位置Ｐ０から装置本体１１の正面位置つまりＰ１の位置まで移動させるのに必要なパルス数を計算し、そのパルス数に基づいて駆動機構７１を構成するステップモータ７３を駆動することにより、回転機構３１を介して撮像部１２を回動する（ステップＢ１５）。
【０１１８】
この場合、電源投入直後の撮像部１２の初期位置は装置本体１１の正面位置つまりＰ１の位置にデフォルトされている。したがって、電源投入直後に「静止画撮影モード」が指定された場合には、現在位置Ｐ０＝Ｐ１であり、制御部５２は撮像部１２の回動なしに「静止画撮影モード」に応じた撮影処理を実行する（ステップＢ１６）。
【０１１９】
詳しくは、フォーカスや露出などの撮影条件を静止画撮影に最適な値に設定し、装置本体１１の正面１１ａ側に向けられた撮影レンズ２２を通して得られる被写体の画像データをスルー画像として表示部２０に表示しつつ、シャッタキー１４が押下されたときのタイミングで当該画像データを静止画像として取り込む。この静止画像は、ＪＰＥＧなどの方式で圧縮されてメモリ５８に記録される（ステップＢ１７）。
【０１２０】
一方、前記撮影モード切替えキー１９により「動画撮影モード」（Ｍ２とする）が指定された場合（ステップＢ１４のＭ２）、制御部５２は、撮像部１２を現在位置Ｐ０から装置本体１１の一端側つまりＰ２の位置まで移動させるのに必要なパルス数を計算し、そのパルス数に基づいて駆動機構７１を構成するステップモータ７３を駆動することにより、回転機構３１を介して撮像部１２を回動する（ステップＢ１８）。
【０１２１】
この場合、電源投入直後に「動画撮影モード」が指定された場合には、現在位置Ｐ０＝Ｐ１から９０度外側に回動させた位置をＰ２とし、そこまでの移動に必要なパルス数を求めてステップモータ７３を駆動する。以後は、現在位置Ｐ０＝Ｐ２となり、モード切替えがあった場合には、そこを起点にして撮像部１２の回動に必要なパルス数が算出されることになる。
【０１２２】
撮像部１２がＰ２の位置に来ると、制御部５２は、「動画撮影モード」に応じた撮影処理を実行する（ステップＢ１９）。
【０１２３】
詳しくは、フォーカスや露出などの撮影条件を動画撮影に最適な値に設定し、装置本体１１の一端側に向けられた撮影レンズ２２を通して得られる被写体の画像データをスルー画像として表示部２０に表示しつつ、シャッタキー１４が押下されたときに当該画像データを動画像として順次取り込んでいく。この動画像は、ＭＰＥＧ２またはＭＰＥＧ４などの方式で圧縮されてメモリ５８に記録される（ステップＢ２０）。シャッタキー１４が再度押下されたとき、動画像の記録が終了する。
【０１２４】
また、前記撮影モード切替えキー１９により「自分撮り撮影モード」（Ｍ３とする）が指定された場合（ステップＢ１４のＭ３）、制御部５２は、撮像部１２を現在位置Ｐ０から装置本体１１の背面位置つまりＰ３の位置まで移動させるのに必要なパルス数を計算し、そのパルス数に基づいて駆動機構７１を構成するステップモータ７３を駆動することにより、回転機構３１を介して撮像部１２を回動する（ステップＢ２１）。
【０１２５】
この場合、電源投入直後に「自分撮り撮影モード」が指定された場合には、現在位置Ｐ０＝Ｐ１から１８０度外側に回動させた位置をＰ３とし、そこまでの移動に必要なパルス数を求めてステップモータ７３を駆動する。以後は、現在位置Ｐ０＝Ｐ３となり、モード切替えがあった場合には、そこを起点にして撮像部１２の回動に必要なパルス数が算出されることになる。
【０１２６】
撮像部１２がＰ２の位置に来ると、制御部５２は、「自分撮り撮影モード」に応じた撮影処理を実行する（ステップＢ２２）。ただし、「自分撮り撮影モード」では静止画または動画の撮影が可能であるため、ユーザに再度撮影モード切替えキー１９の操作により静止画または動画を選択させてから、「自分撮り撮影モード」としての撮影処理を実行することになる。
【０１２７】
詳しくは、フォーカスや露出などの撮影条件を自分撮り撮影用（接写撮影用）に最適な値に設定し、装置本体１１の背面１１ｂ側に向けられた撮影レンズ２２を通して得られる撮影者を被写体として画像データをスルー画像として表示部２０に表示する。そして、例えば静止画の撮影が選択されていれば、シャッタキー１４が押下されたときのタイミングで当該画像データを静止画像として取り込む。この静止画像は、ＪＰＥＧなどの方式で圧縮されてメモリ５８に記録される（ステップＢ２３）。
【０１２８】
このように、ユーザが指定した撮影モードに応じた位置に撮像部１２が自動的に回動するので、ユーザによる撮像部１２の回動操作が不要となり、指定した撮影モードに適した姿勢で撮像装置１０を保持して撮影することができる。
【０１２９】
なお、前記第２の実施形態において、撮像装置１０をムービカメラとして使用するとき、つまり、動画撮影を行う場合に、図４（ｂ）に示したように、装置本体１１から表示部２０を引き起こして９０度開いた状態にする。この場合、撮像部１２の回動に連動させて表示部２０も自動的に開くような機構を備えることで良い。
【０１３０】
また、前記第１および第２の実施形態において、動画撮影では、被写体に焦点を合わせづらいため、強制的にパンフォーカスとするか、あるいは、パンフォーカスを許可してユーザが任意に設定できるようにしても良い。パンフォーカスとは、近くから無限遠までピントが合っている状態を言う。
【０１３１】
また、撮像部１２を装置本体１１の正面位置（第１の位置）から９０度回動させた位置（第２の位置）で動画撮影モード、さらに１８０度回動させた位置（第３の位置）で自分撮り撮影モードに設定するものとして説明したが、正確に９０度位置と１８０度位置でなくとも、例えば±１０度程度の幅を持たせて、略９０度位置で動画撮影モード、さらに略１８０度位置で自分撮り撮影モードに切り替えるようにしても良い。
【０１３２】
その他にも、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１３３】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１３４】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１３５】
【図１】本発明の第１の実施形態に係る撮像装置の外観構成を示す図であり、この撮像装置の装置本体を正面から見た場合の図。
【図２】同実施形態における撮像装置の装置本体を背面から見た場合の図。
【図３】同実施形態における撮像装置の装置本体を上面から見た場合の図。
【図４】同実施形態における撮像装置の撮像部の回動位置と撮影モードとの関係を示す図であり、図４（ａ）は静止画撮影を行う場合、同図（ｂ）は動画画撮影を行う場合、同図（ｃ）は自分撮り撮影を行う場合の撮像部の回動位置を示す図。
【図５】同実施形態における撮像装置の内部構成を模式的に示す図。
【図６】同実施形態における撮像装置の撮像部の回動位置と２つの位置検出スイッチとの関係を示す図。
【図７】前記２つの位置検出スイッチのＯＮ／ＯＦＦの組み合わせと撮影モードとの関係を示す図。
【図８】同実施形態における撮像装置の電子回路構成を示すブロック図。
【図９】同実施形態における撮像装置の撮影時の処理動作を説明するためのフローチャート。
【図１０】本発明の第２の実施形態における撮像装置の内部構成を模式的に示す図。
【図１１】同実施形態における撮像装置に設けられた撮像部の駆動機構の構成を示す図。
【図１２】同実施形態における撮像装置の電子回路構成を示すブロック図。
【図１３】同実施形態における撮像装置の撮影時の処理動作を説明するためのフローチャート。
【図１４】従来の動画撮影を主とするムービカメラにおける縦型の保持形態の一例を示す図。
【図１５】従来の静止画撮影を主とするデジタルカメラにわける横型の保持形態の一例を示す図。
【符号の説明】
【０１３６】
１０…撮像装置、１１…装置本体、１２…撮像部、１３…電源キー、１４…シャッタキー１４、１５…撮影モードキー、１６…再生モードキー、１７…リングキー、１８…メニューキー、１９…撮影モード切替えキー、２０…表示部、２１…ヒンジ機構、２２…撮影レンズ、２３…ストロボ、３１…支持機構、３２…回動軸、３２ａ…フランジ部、３３…取付け穴、３４…回転リング、３５ａ，３５ｂ…位置検出スイッチ、３６…突起部、４１…モータ、４２…レンズ光学系、４３…ＣＣＤ、４４…タイミング発生器（ＴＧ）、４５…ドライバ、４６…サンプルホールド回路（Ｓ／Ｈ）、４７…Ａ／Ｄ変換器、４８…カラープロセス回路、４９…ＤＭＡコントローラ、５０…ＤＲＡＭインタフェース（Ｉ／Ｆ）、５１…ＤＲＡＭ、５２…制御部、５３…ＶＲＡＭコントローラ、５４…ＶＲＡＭ、５５…デジタルビデオエンコーダ、５６…キー入力部、５７…画像処理部、５８…メモリ、５９…ＵＳＢインタフェース（Ｉ／Ｆ）、６０…ストロボ駆動部、７１…駆動機構、７２…歯車、７３…ステップモータ。
【図１】
2006101372.tif 000003
【図２】
2006101372.tif 000004
【図３】
2006101372.tif 000005
【図４】
2006101372.tif 000006
【図５】
2006101372.tif 000007
【図６】
2006101372.tif 000008
【図７】
2006101372.tif 000009
【図８】
2006101372.tif 000010
【図９】
2006101372.tif 000011
【図１０】
2006101372.tif 000012
【図１１】
2006101372.tif 000013
【図１２】
2006101372.tif 000014
【図１３】
2006101372.tif 000015
【図１４】
2006101372.tif 000016
【図１５】
2006101372.tif 000017